(57)【特許請求の範囲】
【請求項１】
放射線の検出のためのハイブリッドシンチレーションモジュールであって、
−ピクセル化されたシンチレーションアレイ（１）と、
−台形形状を有する少なくとも第１のモノリシックシンチレーションプレート（２）との組み合わせを含み、
前記ピクセル化されたシンチレーションアレイ（１）は、ハイブリッドシンチレーションモジュールの前面にあり、かつ前記モノリシックプレート（２）は、前記ピクセル化されたシンチレーションアレイ（１）の背面にあり、
前記ピクセル化されたシンチレーションアレイ（１）は、少なくとも２つのシフトされたアレイのスタックとして配置され、かつ前記モノリシックプレート（２）は、少なくとも２つのスタック層（８）に分割されることを特徴とするハイブリッドシンチレーションモジュール。
【請求項２】
少なくとも光拡散窓をさらに含むことを特徴とする請求項１のハイブリッドシンチレーションモジュール。
【請求項３】
範囲１．４＜ｎ＜１．８以内の屈折率ｎを有する少なくとも屈折光学結合化合物をさらに含むことを特徴とする請求項１または２のハイブリッドシンチレーションモジュール。
【請求項４】
モノリシックシンチレーションプレート（２）およびピクセル化されたシンチレーションアレイは、同じシンチレーション材料または異なるシンチレーション材料から作成されることを特徴とする請求項１から３のうちいずれか１つのハイブリッドシンチレーションモジュール。
【請求項５】
ピクセル化されたシンチレーションアレイ（１）の厚さは、モノリシックシンチレーションプレート（２）の厚さより小さい、モノリシックシンチレーションプレートの前面のピクセル化されたシンチレーションアレイ（１）を含むことを特徴とする請求項１のハイブリッドシンチレーションモジュール。
【請求項６】
互いの上に、少なくとも２つのシフトされたアレイのスタックとして配置されたピクセル化されたシンチレーションアレイ（１）を含むことを特徴とする請求項１のハイブリッドシンチレーションモジュール。
【請求項７】
シンチレーションアレイは、粗く切断され研磨されていないことを特徴とする請求項１のハイブリッドシンチレーションモジュール。
【請求項８】
請求項１から７のうちいずれか１つで定義されたハイブリッドシンチレーションモジュールおよび少なくとも光検出器（４）を含むことを特徴とするハイブリッドシンチレーション装置。
【請求項９】
光検出器表面でシンチレーション光円錐の平面２次元分布から放射線変換イベントの位置に関する３次元情報を抽出するための手段をさらに含むことを特徴とする請求項８のハイブリッドシンチレーション装置。
【請求項１０】
前記手段は、光検出器表面でシンチレーション光円錐の平面２次元分布から放射線変換イベントの位置に関する３次元情報を抽出する３次元空間微分アルゴリズムである請求項９のハイブリッドシンチレーション装置。
【請求項１１】
放射線は、ガンマ線であることを特徴とする請求項１から７のうちいずれか１つのハイブリッドシンチレーションモジュールまたは請求項８から１０のうちいずれか１つのハイブリッドシンチレーション装置。
【請求項１２】
シンチレータセンサからさらに離れて光を搬送するために、ハイブリッドシンチレーションモジュールと光検出器（４）との間に光ファイバの光ガイド（９）をさらに含むことを特徴とする請求項８から１１のうちいずれか１つのハイブリッドシンチレーション装置。
【請求項１３】
核医学イメージングにおいて請求項１から７のうちいずれか１つで定義されたハイブリッドシンチレーションモジュールまたは請求項８から１２で定義された装置を使用する方法。
【請求項１４】
核医学技術は、単一光子放射コンピュータ断層撮影，ＳＰＥＣＴである請求項１３の使用する方法。
【請求項１５】
核医学技術は、陽電子放射断層撮影，ＰＥＴである請求項１３の使用する方法。
【発明の詳細な説明】
【技術分野】
【０００１】
主に、本発明は、核医学イメージングにおける増強されたシンチレーション検出器の実施に関する。特に、衝突する高エネルギー放射線、好ましくは、ガンマ光子の３次元変換位置の高精度の決定を提供するために、光検出器へのシンチレーション結晶の結合の特別な構成および方法に関する。陽電子放射断層撮影（ＰＥＴ）イメージングにおいてこの概念を使用することは、高い効率と適度なコストを有する高い３次元空間分解能断層撮影システムをもたらす。
【０００２】
しかしながら、本発明は、例えば、天体物理学、放射線安全、または国土セキュリティのような多くの他の技術分野にも適用可能であることを理解されたい。
【背景技術】
【０００３】
広範な技術的解決策は、高い検出効率を保証しながら、イメージング放射線検出器、好ましくは、ガンマ線検出器において高い３次元空間分解能を達成するために、過去に提案された。ピンホールコリメータ、または偶然、陽電子放射断層撮影（ＰＥＴ）検出器を使用する場合、単一光子放射コンピュータ断層撮影（ＳＰＥＣＴ）における高分解能の達成は、検出モジュールの内面での高標準分解能だけでなく、結晶シンチレータのような活性物質内部の変換光子の相互作用の深さ（ＤＯＩ）に関する正確な情報を要求する。これら両方（ピンホールＳＰＥＣＴおよびＰＥＴ）の状況の一般的な側面は、多くの傾斜放射軌跡が関与し、高分解能動作を達成するために、放射線、好ましくは、ガンマ線が相互作用/変換された、シンチレータモジュール内の点の第３深度座標に関する情報が必要である。高いＤＯＩ分解能を達成するために過去に多くの技術的アプローチが開発されており、例えば、非特許文献［１−５］に記載されている。本発明では、シンチレーション結晶ブロックを形成するシンチレーション結晶のためのハイブリッドシンチレータ構成を提案する。
【０００４】
小動物ＰＥＴスキャナで使用されるような高空間分解能検出器、好ましくは、ガンマ線検出器のための大部分のシンチレーション結晶ブロックは、水晶ピクセルアレイ（例えば、Ｎａｖｉｓｃａｎの胸ＰＥＴイメージャ，ＳｉｅｍｅｎｓマイクロＰＥＴおよびＩＮＶＥＯＮ小動物スキャナ，ＴｒｉＦｏｉｌイメージングからのＬａｂＰＥＴ小動物ＰＥＴなど）に基づく構成を使用する。（モノリシックとして知られる）連続結晶スラブに基づく最近の新しいデザインは、優れた位置分解能（ワシントン大学の研究成果，およびオランダ研究プロジェクトでのデルフト大学である、ＯｎｃｏｖｉｓｉｏｎのＭＡＭＭＩ  ＰＥＴ胸イメージャおよびＡＬＢＩＲＡ小動物ＰＥＴイメージャ）も有する。しかしながら、ピクセル化およびモノリシック構成には、ＰＥＴ放射性同位体によって放出される５１１ｋｅＶの高エネルギー消滅光子を高効率で停止する（そのため検出する）ために必要とされる厚い（ＰＥＴ検出器で約１５ｍｍ以上）結晶ブロックに対する重要な制限がある。結晶ピクセルアレイはＤＯＩ情報を提供せず、ピクセルが非常に薄く長い場合、それらはエネルギーおよびタイミング分解能が低く、製造コストが高い。モノリシック結晶スラブは、厚い結晶を使用した場合、エッジおよび入射面の近くで劣悪な空間分解能を示す。
【０００５】
したがって、現在の技術には重大な欠点がある。これらの問題、特に、モノリシック結晶の厚さに依存する検出効率と結晶ピクセルアレイの低いエネルギーおよびタイミング分解能との矛盾を解決するために、本発明では、シンチレーションブロックが連続結晶スラブ（または複数のスラブ）の構成要素（または複数の構成要素）によって形成されるハイブリッドシンチレーションモジュールであるハイブリッド構成を提案する。そのようなハイブリッド構成は、高い阻止パワー（阻止パワーは、入射放射線が、結晶ブロック全体の内部で、好ましくは、ガンマ線の放射線変換位置の高い３次元分解能と、良好なエネルギーとタイミング分解能とを同時に有する目標材料の大部分のエネルギーを生む確率（ｄＥ/ｄｘ）として定義される。）を提供することによって上記の制限を克服する
【０００６】
“ハイブリッド検出器”という用語は、他の文脈で過去にも使用されていたことを明確にすることが重要である。“ハイブリッド”という用語のこのような使用の１つの例（特許文献１：“ハイブリッドシンチレータ/光センサおよび直接変換検出器“）では、２つ以上の放射線検出モダリティシステムの１つの複合ＣＴシステムへの組み合わせが記載されている。他の例は、２つのモダリティが１つのシステムとして動作するＰＥＴ/ＣＴまたはＰＥＴ/ＭＲＩイメージャの組み合わせである。
【０００７】
“ハイブリッド”という用語の他の使用は、例えば、ガンマ線およびＸ線を検出し、同じ放射線センサを使用する放射線（ガンマ線）および透過線（Ｘ線）画像を生成するための、２種類のモダリティとして機能する放射線センサに与えられる。
【０００８】
特許文献２は、核イメージングと磁気共鳴イメージングとを組み合わせた装置と、その方法を開示している。ＭＲと核イメージング装置を組み合わせた装置は、核イメージング装置がＭＲＩ装置の磁場で、または磁場の大きさがより小さい領域で動作することができるＭＲＩ装置および核イメージングを備える。組み合わせたシステムは、ＭＲＩ検査および核医学検査を、組み合わせ検査中に患者の動きが全くないか最小限でほぼ同時に行うことが可能である。核イメージング装置は、モジュールが磁場の方向を向いているときにＭＲＩスキャナの口径内の大きな磁場内で動作可能で、磁場の大きさが一定の閾値以下である核検出器モジュールを備える。
【０００９】
以下に列挙されるその他の成果は、結晶処理およびカップリング方法を参照する。特許文献３：”ハイブリッド２次元シンチレータ配置”は、以下のシンチレータ配置を備える。複数のシンチレータスラブを含む複数の検出器ストリップであって、吸収材層によって互いに分離されたシンチレータスタブと、前記複数の検出器ストリップの少なくとも２つが前記フィッティング形態で互いに実質的に平行に配置され、前記フィッティング形態が横方向ピースとフレームとを含み、前記横方向ピースが互いに実質的に平行に配置され、フレームの反対側に取り付けられる。本発明では、シンチレータとの間に吸収剤は存在しない。光は、１つのスラブから別のスラブに移される。その設計は、３次元配置ではなく２次元の問題にのみ取り組んでいる。特許文献３に開示されている吸収層は、横方向の光の伝搬に非対称性を導入し、それらが我々の構造で使用される場合に性能を低下させる。名称を除いて、これらの２つの構造は全く異なっている。
【００１０】
特許文献４は、ハイブリッドシンチレーション走査装置を開示する。前記装置は、コリメータを介してガンマ線を受け取り、光ガイドによって光学的に複数の光電子倍増管に結合された透明な上面を備え、細長い形態のシンチレーション結晶バーを備えている。光電子倍増管は、信号を、一方では振幅分析器に供給し、他方ではバーの軸に沿ってシンチレーションの位置を可能にする演算回路に供給する電子結合回路にその信号を供給する。この特許に開示された走査装置は、シンチレーションモジュールの組み合わせ、すなわち、本発明のように１つのシンチレーションモジュールを継続し、１つのピクセル化されたシンチレーションモジュールを含まない。それゆえ、これは全く異なる物である。
【００１１】
特許文献５の”放射イメージングのためのビーム指向ピクセル化シンチレータ”は、放射線検出装置を開示する。前記装置は、第１ピクセル軸を有する第１ピクセルと第２ピクセル軸を有する第２ピクセルとを有する２次元のビーム指向ピクセル化シンチレータを備え、前記第１および第２の軸は、互いに角度を成しており、各軸は、対応するピクセルを照射するための予め決定されたビーム方向に実質的に平行である。特定の実施形態によれば、特許文献５の装置であるシンチレータは、ピクセル間溝を備え、ピクセルは２次元モノリシックアレイを有する。これは、本発明の２成分シンチレーションモジュールとは全く異なる。我々は、ピクセル間溝を使用していない。
【００１２】
特許文献６は、”シンチレーション結晶アレイは、幅方向および長さ方向に沿って配列された帯状シンチレーション結晶によって構築される・・・”装置を開示している。
【００１３】
しかしながら、他の利点に加えて、本出願の請求項１のハイブリッドシンチレーションモジュールとは本質的な違いがあり、シンチレーションアレイの多数のシンチレータがピクセル化されているのに対し、特許文献６によれば、シンチレーション結晶は、”ストリップ型”である。
【００１４】
ピクセルおよびストリップは、完全に異なる技術用語である。ピクセルは、２次元ですが、ストリップは１次元です（もちろん、それらは、パラメータとして幅および長さを有するが、形状によっては空間情報の演算上の抽出法が異なる）。ピクセルは、読み出しストリップで相互接続することができますが、ストリップで開始する場合、いくらかの空間情報が不可逆的に既に失われる。
【００１５】
この出願で使用されるいくつかの用語および表現の意味
”モノリシック結晶”，”モノリシックシンチレーションスラブ”，”モノリシックシンチレーションプレート”，”連続結晶スラブ”，”連続シンチレーションプレート”，”連続シンチレータプレート”およびモノリシックシンチレータという表現は、この明細書では区別して使用される。
【００１６】
”ピクセル化されたシンチレータアレイ”，”ピクセル化されたシンチレーションアレイ”，および”ピクセル化されたシンチレーションプレート”という表現は、交換可能に使用される。
【００１７】
この出願では、”シンチレーションモジュール”，”シンチレータモジュール”，”シンチレーションブロック”という表現は、交換可能に使用される。
【先行技術文献】
【特許文献】
【００１８】
【特許文献１】米国特許６８１９７３８号明細書
【特許文献２】米国特許６９４６８４１号明細書
【特許文献３】米国特許６７１３７６７号明細書
【特許文献４】米国特許３９７８３３６号明細書
【特許文献５】米国特許７６９２１５６号明細書
【特許文献６】中国特許１０２７０７３１０号明細書
【非特許文献】
【００１９】
【非特許文献１】Mikiko Ito, Seong Jong Hong and Jae Sung Lee, Positron Emission Tomography (PET) Detectors with Depth-of- Interaction (DOI) Capability, Biomed Eng Lett (2011) 1:70-81. DOI 10.1007/s13534-011-0019-6
【非特許文献２】Jae Sung Lee, Technical Advances in Current PET and Hybrid Imaging Systems, The Open Nuclear Medicine Journal, 2010, 2, 192-20.
【非特許文献３】Thomas K. Lewellen, The Challenge of Detector Designs for PET, AJR 2010; 195:301-309.
【非特許文献４】Hao Peng and Craig S. Levin, Recent Developments in PET Instrumentation, Current Pharmaceutical Biotechnology, 2010, 11, 555-571.
【非特許文献５】Craig S. Levin, New Imaging Technologies to Enhance the Molecular Sensitivity of Positron Emission Tomography, Proceedings of the IEEE, Vol. 96, No. 3, March 2008, 439-467.
【発明の概要】
【発明が解決しようとする課題】
【００２０】
解決すべき目的である技術的問題は、入射放射線、好ましくは、ガンマ線に対して高い阻止パワーをも提供し、経済的な方法でそれを達成する高分解能シンチレーションモジュールを構築する効率的な方法を提供することである。
【００２１】
本発明は、光検出器に結合された連続（またはモノリシック）シンチレータプレートとピクセル化されたシンチレータアレイとの組み合わせからなるハイブリッドシンチレーションモジュールまたはブロックに基づいて、放射線、好ましくは、ガンマ線を検出する装置を記載する。
【００２２】
２つのシンチレーションモジュール構成要素を結合する方法は、適切に実行されるといくつかの重要な利点をもたらす。
【００２３】
したがって、本発明は、放射線、好ましくは、ガンマ線の検出のためのハイブリッドシンチレーションモジュールに関し、それは、
−複数のシンチレータを有する少なくとも第１のピクセル化されたシンチレーションアレイと、
−少なくとも第１のモノリシックシンチレーションプレートと、を含む。
本発明は、また定義されたハイブリッドシンチレーションモジュールと、少なくとも光検出器とを含むハイブリッドシンチレーション装置を示す。
任意に、本発明のハイブリッドシンチレーションモジュールは、光ガイドと呼ばれる光拡散窓をさらに含む。
【００２４】
特定の実施形態によれば、この光拡散窓または光ガイドは、モノリシックシンチレーションコンポーネントと光検出器との間に配置することができ、または追加の特定の実施形態によれば、それは、ピクセル化されたシンチレーションアレイと光検出器との間に配置することができる。
【００２５】
任意に、追加のイメージング光ガイドは、シンチレーションブロックと光拡散窓（光ガイドとも呼ばれる）との間に配置することができる。
【００２６】
任意に、本発明のハイブリッドシンチレーションモジュールは、ピクセル化されたモノリシックシンチレータと光検出器との間に提供される少なくとも１つの屈折性光学結合化合物をさらに含む。屈折性光学結合化合物は、高屈折率ｎ（１．４＜ｎ＜１．８）を有する光透過性化合物である。特定の実施形態によれば、光学結合化合物は、シンチレータ、拡散窓、任意のイメージング光ガイド、および光検出器の間に配置することができる。
【００２７】
本発明の特定の実施形態によれば、ハイブリッドシンチレーションモジュールは、それぞれに複数のシンチレータを有する、いくつかのピクセル化されたシンチレーションアレイ含むことができる。
【００２８】
本発明の追加の特定の実施形態によれば、ハイブリッドシンチレーションモジュールは、それぞれに複数のシンチレータを有する、いくつかのモノリシックシンチレーションプレートを含むことができる。
【００２９】
好ましい実施形態は、２種類のシンチレータモジュールを有するハイブリッドシンチレーションモジュール示し、各種類の１つは（１つはピクセル化され、１つはモノリシック）である。この配置では、シンチレーションモジュールの阻止パワーは、空間分解能を最適化する間、増加する。
【００３０】
第１の主な好ましい実施形態は、ピクセル化されたシンチレーションアレイが前面にあり、モノリシックなシンチレーションプレートがピクセル化されたシンチレーションアレイの後ろにあるハイブリッドシンチレーションモジュールを示す。言い換えれば、ピクセル化されたシンチレーションアレイは、入射放射線、好ましくは、ガンマ線ビームに面して前側に配置され、したがって、モノリシックプレートの他方の側に光検出器を有するモノリシックプレートの上に配置され、シンチレータモジュールの両方のコンポーネント（ピクセル化されたシンチレーションアレイおよびモノリシックプレート）からシンチレーション光を受ける。しばしば、モノリシックシンチレータプレートは、頂部に向かって内側に傾斜した側壁を有する台形状を有する。三角形、六角形などの正方形の基本多角形以外も可能である。
【００３１】
第２の主な実施形態は、モノリシックプレートが前面にあり、ピクセル化されたシンチレーションアレイがモノリシックプレートの後ろにある、２つのシンチレータの順序が逆であるハイブリッドシンチレーションモジュールを示す。言い換えると、ハイブリッドシンチレーションモジュール構成は、入り口にモノリシックなシンチレータプレートを有し、光検出器と光学的に接触するか、または光学的に結合されたプレートの後ろに配置されたピクセル化されたアレイを有する。任意に、モノリシックシンチレータプレートは、台形状を有する。三角形、六角形などの正方形の基本多角形以外も可能である。
【００３２】
この第２の主な実施形態によれば、システムは、検出モジュールによる、光子、好ましくは、ガンマ光子の停止パワーを増加すると同時に、性能の観点から最適な厚さを有するモノリシックコンポーネントの適用を可能にする。この配置は、またシンチレータ内の停止放射線の大部分、好ましくは、ガンマ線に対する、相互作用の深さ（ＤＯＩ）を含む、良好な空間分解能を提供する。
【００３３】
両方の主な実施形態において、高屈折率光学結合化合物が、存在する場合には、シンチレータ、光ガイド（使用される場合）と検出器との間に適用される。
【００３４】
本発明の第２の実施形態をより詳細に論じると、入射放射線、好ましくは、ガンマ線に面する前方コンポーネントは、モノリシックシンチレータプレートであるが、光検出器に結合された第２のシンチレーションコンポーネントは、ピクセル化されたシンチレーションアレイからなる。両方のコンポーネントは、光学的に結合されている。モノリシックプレートシンチレータで生成されたシンチレーション光は、光検出器への途中でピクセル化されたシンチレーションアレイを通過する。したがって、ピクセル化されたシンチレーションアレイは、プレートシンチレータから出てくるシンチレーション光円錐体の光学的封じ込めを提供する故に、広範囲のシンチレーション光の広がりのためにプレートシンチレータを使用する場合、典型的に存在するエッジ効果を制限する光ファイバの光ガイドとして機能する。シンチレーション光スポットサイズは、光検出器アレイに搬送されている間保たれる。
【００３５】
加えて、ピクセル化されたシンチレータアレイは、検出器の感度を増加させるハイブリッドシンチレータモジュールにおける追加の能動コンポーネントとして働く。モノリシックプレートシンチレーションタで生成された透過光ならびにピクセル化されたシンチレーションアレイで生成されたシンチレーション光は、適切なシンチレーション光分布および位置高感度光学検出器でのサンプリングのために最適化された結合光ガイドを介して光検出器表面に入射する。典型的には、光検出器は、能動表面を有するのではなく、より小さなセンサ／パッドのアレイから構築される。
【００３６】
そのようなハイブリッド構造の実際的な例は、１．５ｍｍピッチの１０ｍｍ長ＬＹＳＯピクセルの適合するサイズのアレイに結合された１０ｍｍ厚のＬＹＳＯ（セリウムドープされたルテニウムイットリウム正珪酸塩）プレートであり、続いて、広がる光ガイド／窓を介して３．１から４．０ｍｍのピッチで分布した３ｍｍのシリコン光電子倍増管センサ（ＳｉＰＭ）のアレイに結合されている。
【００３７】
本発明のハイブリッドシンチレーションモジュールの任意の実施形態では、モノリシックシンチレーションプレートは、少なくとも２つのスタック層に分割されてもよい。
【００３８】
本発明のハイブリッドシンチレーションモジュールの任意の実施形態では、ピクセル化されたシンチレーションプレートは、少なくとも２つのスタック層に分割されてもよい。
【００３９】
さらなる特定の実施形態は、少なくとも２つのシフトされたアレイのスタックとして、好ましくは、互いの上に配置されたピクセル化されたシンチレーションアレイを含むハイブリッドシンチレーションモジュールを示す。
【００４０】
本発明のハイブリッドシンチレーションモジュールの任意の実施形態では、２つ（またはそれ以上）のシンチレーションコンポーネント−モノリシックシンチレーションプレートおよびピクセル化されたシンチレーションアレイ−は、同じシンチレーション材料から作成することができ、または異なるシンチレーション材料から作成できる。例えば、ＬＹＳＯ、またはＧＳＯ（ガドリニウム正珪酸塩（Ｇｄ２ＳｉＯ５：Ｃｅ）またはＢＧＯ（ビスマスゲルミネイトＢｉ４Ｇｅ３Ｏ１２）が使用される。異なるシンチレーション材料の場合、上部シンチレータコンポーネントと光検出器との間に配置された材料が上部層からシンチレーション光吸収しないことに注意を払う必要がある。また、厚さが０．１ｍｍから１０ｍｍまで変化する厚さを有するアクリルまたはガラスプレートのような、光ガイドおよび光学結合化合物は、重大な損失なしにシンチレーション光を光検出器に伝達しなければならない。窓の厚さの好ましい範囲は、１から４ｍｍである。
【００４１】
モノリシックシンチレーションプレートおよびピクセル化されたシンチレーションアレイが異なる材料から作成されている場合、それらは異なる光時間特性（それらのシンチレータの立ち上がり時間および／または立ち下がり時間／減衰時間定数）を有し得る。この特徴は、シンチレーション材料の立ち上がり時間および／または減衰時間の差が十分大きい場合、２つのシンチレータコンポーネントを区別するための別の相補的方法を提供することができる。追加的読み出し電子回路チャネルは、シンチレーションパルスの時間形状のこの付加的な分析を提供する必要があるかもしれない。
【００４２】
本発明のハイブリッドシンチレーションモジュールは、光検出器表面におけるシンチレーション光円錐体の平面２次元分布から、放射線、好ましくは、ガンマ、の位置変換イベントに関する３次元情報を抽出するためのハードウェアおよびソフトウェア手段をさらに含むことができる。前記手段は、特定の実施形態では、光検出器表面でのシンチレーション光円錐の平面２次元分布から、放射線、好ましくは、ガンマ、の位置変換イベントに関する３次元情報を抽出する３次元空間計算アルゴリズムである。光検出器からの個々の読み出しチャネルの組は、シンチレーションモジュールから出現するシンチレーション光分布を測定し、これに基づいてシンチレーションモジュール内のシンチレーション光源の３次元における位置を計算する。ソフトウェアアルゴリズムは、シンチレーション光の発生位置を抽出するために、測定された光分布の数学的分析を用いる。実現可能な異なるアルゴリズムがあるが、好適なものは、シンチレーション光生成の物理的モデリング（シミュレーション）を使用し、光検出器への途中でシンチレーションモジュールを介して進行し、シミュレーション結果を実際の実験的に測定された空間分布と比較するものである。繰り返した（反復）シミュレーションの後、結果は、実験的な分布に収束し、計算されたまたは推定された３次元の位置が最良適合から抽出される。この計算は、イベント毎に検出されたシンチレーション光に対して行われる。それには非常に高速のコンピューティングシステムが必要である。モノリシックシンチレータが本質的に光子相互作用の３次元インパクト座標の情報を提供するため、この方法は、モノリシックプレートに最適である。検出された光は、シンチレータ内でのシンチレーション光の伝搬の光学系に基づく論理的な式に適合する。アルゴリズムの例は、オープンソースの数値解析およびデータ処理ライブラリＡＬＧＬＩＢ（ｗｗｗ．ａｌｇｌｉｂ．ｎｅｔ）で実施されているＬｅｖｅｎｂｅｒｇ−Ｍａｒｑｕａｒｄｔ法の最適化である。
【００４３】
ハイブリッドシンチレーションモジュールの特定の実施形態によれば、それは、モノリシックシンチレーションプレートの前にピクセル化されたシンチレーションアレイを含み、ピクセル化されたシンチレーションアレイの厚さは、モノリシックシンチレーションプレートの厚さよりも小さい。言い換えると、この発明のハイブリッドモジュールは、より厚いプレートシンチレータの前に薄いピクセル化されたアレイを使用することにより、二重の”高解像度／フル解像度”の概念を使用することができる。このようにして、高解像度画像を生成するイメージャの高解像度部分のみ、中程度の解像度画像を生成するイメージャの中程度の解像度部分のみ、および最後に、上述の２つの検出器の部分を組み合わせ、フル解像度の画像を生成するフルシステム解像度の、３つの画像が生成される。
【００４４】
本発明のハイブリッドシンチレーション装置は、シンチレータを光検出器に結合する前にシンチレータからより遠くに光を搬送するために、光検出器の前に挿入された光ファイバの光ガイドをさらに含むことができる。
【００４５】
追加の特定の実施形態またはハイブリッドシンチレーションモジュールによれば、電磁気特性に起因する検出器モジュールとＭＲＩスキャナとの間のＲＦフィールドのＲＦ遮蔽を改善するために、光ファイバの光ガイドとシンチレータモジュールとの間に挿入された光学的に伝搬し、ＭＲ互換モジュールを作成し、ＰＥＴ／ＭＲ（陽電子放射断層撮影（ＰＥＴ）／磁気共鳴）二重モダリティイメージャの構成を可能にする無線周波数（ＲＦ）シールド層、または複数の層をさらに含むことができる。
【００４６】
シンチレーション表面処理
ピクセル化されたシンチレーションアレイは、最適な方法で動作するために適切な表面処理を必要とする。シンチレータ、特に、ピクセル化されたシンチレーションアレイの表面処理は、シンチレーションモジュールの性能に大きな影響を及ぼすので、最適化する必要がある。
【００４７】
本明細書に開示され、かつ”実施の低減”比較実験において既に実証された非常に重要で非標準の新規の概念は、ピクセル化されたシンチレーションアレイのシンチレーションピクセルの側面がラフカット（”切断したまま”）であり研磨されていない場合、特にシンチレーションアレイがモノリシックシンチレーションプレートの上に置かれた場合、検出器の動作は、検出されたシンチレーション信号がより高く、シンチレーション画像の分離が良好である。その説明は、ピクセルから出て光検出器に至る途中でモノリシックなシンチレータギャップを横切って伝搬するシンチレーション光円錐が、研磨された表面処理と比較して”切断したまま”の側面処理に対してより広いという説明である。円錐の開口角度は、シンチレーション光束がシンチレーションピクセルを通って伝搬し、シンチレーション光子がより広い角度散乱を受けるにつれて粗い処理を伴うピクセル側壁から数回バウンスする場合、広く作られ、研磨されたピクセルの場合に光子の伝搬は、全内部反射プロセスによって支配される間、より狭く作られ、屈折率の角度限界によって定義される。より広い円錐は、光検出器の表面上でより大きなシンチレーション光痕跡を生成し、続いて、固定ピッチ光検出器によるより細かいシンチレーション光信号サンプリングを可能にし、結果として、光分布の重心のより良い定義をもたらす。これにより、達成されたシンチレーションピクセルの分離は、粗い表面処理の場合大幅に改善される。事実、我々の実験的証拠は、唯一の違いが側面処理（同じピクセルピッチとサイズ、同じ光ガイド、同じ光検出器など）であるいくつかの試験されたケースでは、標準的な研磨された変形は、劣ったピクセル分離をもたらしたが、”切断したまま”の変形は、ピクセル分離およびエネルギー分解能が優れていた。
【００４８】
好ましい実施形態は、従属請求項に開示されている。これらの請求項の中には、ハイブリッドシンチレータ概念が最適に動作するために満たす必要がある特定の条件が含まれている。
【００４９】
請求項２に係る発明は、以下の主要な利点を有する。
−２つ以上のシンチレーションコンポーネントを適用し、空間分解能を低下させずに、モジュール全体の阻止パワーと検出効率を上げることができる。個々のコンポーネントは、それぞれ５〜１５ｍｍの典型的な厚さ（ＬＹＳＯシンチレータの場合）を有する。典型的な構成では、コスト面からも好ましいが、両方のコンポーネントは、厚さが１０ｍｍである。
【００５０】
−モジュールによって検出された消滅した光子の合計の実質的な割合（３０〜６０％）のために、非常に高い先行２次元空間分解能性能を提供するより厚く（適用＜＝５ｍｍ）ピクセル化された適用を介して”高解像度／フル解像度”のデュアルオペレーションモードアプローチが可能である。この検出器コンポーネントのみ使用することにより、効率は低いものの別個の高解像度画像が生成される。
【００５１】
−ピクセル化されたコンポーネントのＤＯＩ分解能を改善するために、２つ以上の副層に分割され、相対的な空間的な（ｘ−ｙ）シフトに基づいて、および／またはシンチレーション光特性により、分離され得る（例えば、記録することのできるシンチレーションパルスの異なる時間形状を有する２つ以上の異なるシンチレータ材料を使用することにより）。
【００５２】
−モノリシックコンポーネントは、より粗いが十分な２次元空間分解能と良好な相互作用の深さ（ＤＯＩ）を有する追加の阻止パワーを提供する。
【００５３】
−付加的な画像処理アルゴリズムを使用して、検出器の粗い解像度コンポーネントからの以前に得られた高解像度画像と中程度の解像度の画像の組み合わせは、完全な効率の画像を生成する。しかしながら、小さい構造または障害のようなホットな特徴の検出を支配する構成された画像の高解像度コンポーネントを有する。より低い空間分解能であるにもかかわらず、第２のシンチレーションコンポーネントの付加的な阻止パワーに起因するシステム感度の増加は、信号対雑音比（Ｓ／Ｎ）の増加およびより高い”コントラスト値”の形で検出された信号の統計的強度を増加する。コントラストは、画像ピクセルあたりのカウントの相対的差または画像内の２つのポイント間の強度差として定義される。”コントラスト解像度”は、２つの領域のカウント密度の違いにより、画像内の領域（異なる組織のような）を区別する能力として定義される。
【００５４】
請求項３に係るハイブリッドシンチレーションモジュール発明は、以下の主要な利点を有する。
−モジュール全体の阻止パワーを増加させながら、最適な厚さ（全体の厚さの５０％程度）有する経済的で高性能なモノリシックコンポーネントの適用を可能にする。
【００５５】
−モノリシックフロントコンポーネントの適用することで、イメージャによる検出されたイベントの大部分のために、ＤＯＩを含む高い初期３次元空間分解能を提供する。
【００５６】
−モノリシックコンポーネントの後ろに配置されたピクセル化された第２のコンポーネントは、高い２次元空間分解能と多くのイメージングタスクＤＯＩ分解能でより粗いが十分な、付加的な阻止パワーを提供する。
【００５７】
−ピクセル化されたコンポーネントのＤＯＩ分解能を改善するために、２つ以上の副層に分割され、相対的な空間的な（ｘ−ｙ）シフトに基づいて、および／またはシンチレーション光特性により、分離され得る（例えば、２つ以上の異なるシンチレータ材料を使用することにより）。
【００５８】
本発明のハイブリッドシンチレーションモジュールの利点は、モジュール全体にわたり高効率およびエネルギー分解能を維持しながら、検出器モジュール全体、特にエッジ領域全体にわたる空間分解能および応答均一性を改善することである。
【００５９】
本発明は、核医学イメージング、好ましくは、単一光子放射コンピュータ断層撮影，ＳＰＥＣＴ，または，陽電子放射断層撮影，ＰＥＴにおいて、前記ハイブリッドシンチレーションモジュールまたは前記ハイブリッドシンチレーションモジュールを含む装置を示す。
【００６０】
本発明の別の目的は、画像を得るために上記で定義したハイブリッドシンチレーションモジュール、または画像を得るために上記で定義したハイブリッドシンチレーションモジュールを含む装置の使用方法である。
【００６１】
特定の実施形態によれば、上記で定義されたハイブリッドシンチレーションモジュールまたは上記で定義された装置は、環状または平面配列で配置される、単数のユニットまたは複数のユニットの組として動作するモジュール、発光対象からの放射線放出画像を得るために１対多数のこのようなハイブリッドシンチレーションモジュールから構築されたガンマまたはＰＥＴ検出器を構築するために使用される。
【００６２】
特定の実施形態によれば、使用は、
−モノリシックシンチレーションプレートの前にピクセル化されたシンチレーションアレイを有するハイブリッドシンチレーションモジュールを使用することを含み、ここで、ピクセル化されたシンチレーションアレイの厚さは、モノリシックシンチレーションプレートの厚さより小さい。
【００６３】
−高解像度画像（断層撮影再構成ではピクセル化された前面アレイのみ）を生成する高分解能検出器に対応する１つの画像、中程度の分解能の検出器によってのみ生成される中程度の解像度画像（断層撮影再構成ではモノリシックコンポーネントを使用する）、および２つのコンポーネントを組み合わせることによってフルモジュール分解能によって生成されたフル解像度画像の３つの画像を生成する。断層撮影再構成では２つの検出器コンポーネントを組み合わせることによる。
【図面の簡単な説明】
【００６４】
【図１】放射線、好ましくは、ガンマ、検出モジュールの２つの一般的な例における相互作用の深さ（ＤＯＩ）の概念。放射線、好ましくは、ガンマ線５は、典型的には、いくつかの角度で到達し異なる深さで相互作用する。シンチレーションモジュール１−２からの光は、光検出器４で検出される。入射光線、好ましくは、ガンマ線ビームに面する前面に置かれ、従って、モノリシックプレートの反対側に検出器を有するモノリシックプレートの上部に置かれ、シンチレーションモジュールの両方のコンポーネントからシンチレーション光を受光するピクセル化されたシンチレーションアレイを有する第１の好ましい実施形態の例。１つのコンポーネント（左）および２つのコンポーネント（右）のシンチレーションモジュールの読み出し。
【図２】第１の実施形態の特定の例。前にあるピクセル化されたシンチレーションモジュール（１）には、モノリシックシンチレーションコンポーネント（２）、拡散窓または光ガイド（３）および光検出器（４）が続く。
【図３】ピクセル化されたモノリシックコンポーネントの逆の順序を有するハイブリッドシンチレータモジュールの第２の好ましい実施形態。モノリシックシンチレータプレートは、入り口にあり、ピクセル化されたアレイは、光検出器を有し光学的に接触してプレートの背後に配置される。
【図４】テーパされたモノリシックシンチレータを有するハイブリッドシンチレータモジュールの第１の実施形態の変形例。
【図５】テーパされたモノリシックシンチレータを有するハイブリッドシンチレータモジュールの第２の好ましい実施形態の変形例。
【図６】両方のシンチレーションコンポーネントで変換する放射線、好ましくは、ガンマ線（５）を有する第１の実施形態におけるシンチレーション光伝搬（６）の簡略表現。
【図７】テーパされたモノリシックシンチレータを有するハイブリッドシンチレータモジュールの第１の実施形態の変形例。テーパされたモノリシックシンチレータを有するハイブリッドシンチレータモジュールの第１の実施形態の変形例。
【図８】シンチレーション光の伝搬機構のスケッチ。粗面ピクセル（７）、それは、多要素光検出器に達するまで、同じ角度の開口（両方のコンポーネントにおいて同じシンチレータ材料の場合）を有するモノリシックシンチレータコンポーネントへ入るより広い開口角度のシンチレーション光円錐を生成する。光検出器上の大きな痕跡を有する光円錐は、シンチレーション光スポットの重心のより正確な（画像むらが少ない）解像度を生成し、これにより、隣接シンチレーションピクセルで生成される検出イベントのより良好な分離を提供する。
【図９】ピクセル化されたシンチレータアレイが、２つの積層された層（１）および（８）に分割される第２の実施形態の特定の例を示す。
【図１０】シンチレータと電子との間のスタンドオフ距離を必要とするいくつかの状況では、シンチレータモジュールと光検出器との間で使用することができる光ファイバの光ガイド（９）を示す（機械的エッジ効果を最小限にするために、または電磁干渉を回避するために）。
【図１１】シンチレーションモジュールの第１の実施形態にかかるＰＥＴ検出器リング内に配置されたモジュールを示す。
【図１２】図４からモノリシック部のテーパ形状を示し、リング上に配置されたモジュールのより高い充填率を可能にする方法とモジュール間の物理的なギャップを最小化する方法を示す。
【図１３】ＳｅｎｓＬ（Ｃｏｒｋ，アイルランド）シリコン光電子倍増管（ＳｉＰＭ）アレイを用いて第１の好ましい実施形態の実施した、第１の減少を示す。結晶アレイと光検出器との間にモノリシックが１２ｍｍの厚さを有する。上側スケッチ，ほとんどの２ｍｍサイズのピクセルが分離されている５１１ｋｅＶでの結晶アレイの２次元等高線プロット、およびモノリシックとピクセル化の両方の寄与を示すエネルギースペクトル。下側，ピクセル化の寄与の１つの列と１つの行のプロフィール。
【図１４】１．５ｍｍ×１．５ｍｍ結晶ピクセル以外、図１３のように実施した第１の減少。
【図１５】ＳｅｎｓＬ  ＳｉＰＭアレイを使用した第２の実施形態を実施した第２の減少。原画像および５１１ｋｅＶで２ｍｍ×１０ｍｍのピクセル化されたＬＹＳＯに対応する検出器の部分のプロット。２ｍｍピッチのピクセル化されたＬＹＳＯアレイは、厚さ１２ｍｍ、モノリシックＬＹＳＯプレートとＳｉＰＭアレイ検出器との間に挿入される。２ｍｍピクセルは、非常に良好な分離が見られる。アレイからの信号を増強するために、消滅光子の強いＦ１８放射線源は、光検出器の後ろで、光検出器の背面に配置された。上側，左から右へ、５１１ｋｅＶでピクセル化の寄与および５１１ｋｅＶでモノリシックの寄与の、フルエネルギースペクトルに対する２次元等高線図。
【図１６】ピクセル化されたシンチレーションアレイがモノリシックシンチレーションプレートの上にあるハイブリッドシンチレータモジュールのピクセル化されたコンポーネントの表面処理の重要性の実証。Ｐｒｏｔｅｕｓ製１．５×１．５×１０ｍｍピクセルの同一の１０×１０ＬＹＳＯアレイの２つの方法のため、１つは、“切断したまま”品質の側壁、同時に第２は、全側面研磨である。１つの“切断したまま”表面は、ＭＰＰＣ（マルチピクセル光子カウンタ）光検出器における約２倍高い信号応答を有し、それぞれのピクセルは、原画像（中央）で区別されると同時に、全側面研磨の場合、ピクセルは、１２７４ｋｅＶのより高いエネルギーでも分離されない（右）。この測定では、１２ｍｍのＬＹＳＯプレートは、より大きなシンチレータの厚さを有するハイブリッドアプローチの制限を実証する（測定は、２２度Ｃの温度で行った。）。
【図１７】光ファイバの光ガイドＣを介して、電子機器Ｂを有する光検出器モジュールに結合されたシンチレーションブロックＡ（１つまたは多くの層）を示すモジュールのリングの一般的図面。ファイバの配置されたアレイまたは個々の光チャネルから構築された光ファイバの光ガイドは、画像保存であり、それらの目的は、シンチレーションモジュールから出射されるように光ガイドの他端に配置された光検出器に、並列にシンチレーション光を搬送することである。光ファイバの光ガイドの実施は、シンチレータモジュールと光検出器モジュールとのスタンドオフ距離を提供し、典型的な状況では、シンチレーションモジュールの間を区切り、不感領域を最小化する。ＭＲＩ挿入ＰＥＴの適用を考慮すると、比較的薄い追加の光学窓は、シンチレータと光ファイバの光ガイドとの間に挿入されてもよく、光検出器／電子モジュールとＭＲＩのＲＦフィールドとの間のＲＦシールドＤのコンポーネントとして働くことができる。この窓は、ＲＦシールドを提供し、シンチレーション光に対して光学的に透明である特別な材料に基づく。
【図１８】互いに上に位置し横方向にシフトされた後、モノリシックシンチレータプレート２に結合された２つのピクセル化されたアレイに分割されたピクセル化アレイ１を有するシンチレーションモジュール構造の例を示す。上のピクセル化されたアレイからのシンチレーション光は、下のピクセル化されたアレイを進み、その後、シンチレーションプレート２に続き、光ガイド３を経由して光検出器４に進む。２つの副層からシンチレーション光円錐６は、光検出器で互いに相対的にシフトされ、下アレイでの相互作用から上アレイでのガンマ相互作用を区別することができる。
【００６５】
コメント付きの図の参照リスト
１）ピクセル結晶アレイ。ピクセル結晶アレイは、典型的には、互いにマージ（接着）された、全ての壁面が研磨された、多くの小さな結晶シンチレーション結晶要素から作成されたシンチレーションブロックである。それぞれの結晶ピクセルの寸法は、解像目標に依存する。ピクセルアレイの外寸法は、選択された構成とシステムの幾何学的形状に依存する。
【００６６】
２）モノリシック結晶。これは、シンチレーション材料の単一、連続、ブロックである。図３−５に示すように、この結晶の形状は、選択された構成に応じて変えることができる。長方形および台形の形状は、ほとんどの提案であるが、他のものも可能である。
【００６７】
３）拡散窓または光ガイド。拡散窓は、典型的には、アクリルまたはガラスから作成される。それらの厚さは、１ミリメートルの数１０分の１から数ミリメートルに変えることができる。
【００６８】
４）光検出器。検出器のいくつかのタイプは、位置高感度光電子増倍管（ＰＳＰＭＴ）、ゲインなしのフォトダイオード（アバランシェフォトダイオード，ＡＰＤ）、およびシリコン光電子増倍管（ＳｉＰＭ）として使用することができる。それらの共通の特徴は、位置高感度であり、シンチレーション光分布に関する空間的な情報を提供することである。我々の概念の光検出器の好ましい選択肢は、シリコン光電子増倍管（ＳｉＰＭ）である。
【００６９】
５）衝突光線、好ましくは、ガンマ線。光子、好ましくは、ガンマ光子は、放射性化合物を用いる注入または他の機械的または化学的挿入された物体により放出される。陽電子放射断層撮影（ＰＥＴ）の場合、典型的には、放射標識化合物を放射する陽子は、患者に注入され、放出された５１１ｋｅＶの消滅光子は、患者体内の取り込み位置から放出される。検出モジュールの目的は、阻止し、これらの光子、好ましくは、ガンマ光子、を検出することである。消滅光子は、検出モジュールの前面に異なる角度で来る（衝突する）ことができる。典型的には、角度範囲は、検出モジュールに対して垂直から＋／−４５度の範囲で測定される。
【００７０】
６）シンチレーション光分布，光円錐。シンチレーション光は、円錐のような形状のシンチレータから、シンチレータの中心により規則的に、エッジで圧縮されて出てくる。シンチレーションモジュール内での入射光子の元の変換点を逆算するこの光分布の測定は、光検出器および関連する電子機器の主な目的です。
【００７１】
７）側面が研磨したのと対照的な“切断したまま”であるピクセル結晶。
【００７２】
８）（１）と比較して異なるシンチレーション材料を有するピクセル結晶アレイ。
【００７３】
９）光をシンチレータモジュールからさらに離れ搬送し、エッジ効果を最小にまたはフロントエンド電子機器を物体から、および例えば中央ＭＲＩ磁場および無線周波数フィールドから光検出器を除去する、光ファイバの光ガイドのような、追加の光ガイド。
【発明を実施するための形態】
【００７４】
例
第１の実施形態にかかるハイブリッドシンチレーションモジュールの例
第１の実施形態によれば、シンチレータモジュールは、ピクセル化されたシンチレーションアレイ（１）、シンチレータアレイ（２）を備え、付加的な光ガイド（３）を備えることもできる。全体のアセンブリは、入来する光子（５）、好ましくは、ガンマ光子、ＳｉＰＭアレイ（４）に基づく光検出器がみられる、図２および４に示される。図１２は、シンチレータモジュールの第１の実施形態にかかる、ＰＥＴ検出リングを形成するリング上に配置されたモジュールの組を示す。
【００７５】
図２および４に示されるような、ハイブリッドシンチレーションモジュールの第１の好ましい実施形態の例によれば、モノリシックシンチレータの上にピクセル化アレイがある。光検出器への途中でアレイからのシンチレーション光は、光学窓としてここで作用するモノリシック結晶を通過する。同時に、モノリシックプレートシンチレータは、相互作用を生じることなく、ピクセルアレイを横断する入射放射、好ましくは、ガンマ放射、の割合を検出する活性物質として機能する。
【００７６】
第１の実施形態（実施に減少）にかかる本発明のハイブリッドシンチレーションの機能の例
１．５ｍｍステップおよび１０ｍｍ長の小さなＬＹＳＯアレイは、ＬＹＳＯシンチレータの１０ｍｍ厚のモノリシックプレート上に配置される。モノリシックプレートの反対側に置かれ、シリコン光電子増倍管は、浜松製３ｍｍＭＰＰＣセンサの４×４アレイからなる。消滅５１１ｋｅＶ光子（および１２７４ｋｅＶガンマ）のＮａ２２源は、ＬＹＳＯアレイ上に置かれる。
【００７７】
図１３および１４は、図２および４の実施形態の動作例を示す。それらは、ＳｅｎＬ  ＳｉＰＭアレイを使用する第１の好ましい実施形態の実施した第１の減少を示す。上の原で、ハイブリッドシンチレータの２つのコンポーネントの画像は、両方とも５１１ｋｅＶでみられる。１２ｍｍ厚さのモノリシックＬＹＳＯプレートの前に結合された１．６ｍｍピッチのピクセル化されたＬＹＳＯアレイ。１．５ｍｍピクセルは、十分に分離がみられる。下に１つだけピクセル化されたコンポーネントからの５１１ｋｅＶで得られた画像に加え、１つのピクセル行を介したプロフィールをみることができる。ほとんどのピクセルは、十分に分離がみられる。
【００７８】
プロットは、５１１ｋｅＶのエネルギーで得られる原画像を示し、明らかに個々のＬＹＳＯピクセルが画像において十分分離されていることを示す。加えて、１．５ｍｍ×１．５ｍｍ×１０ｍｍＬＹＳＯピクセルの１つから得られた個々のエネルギースペクトルの例は、右に示される。エネルギー非線形性存在の補正の後、４チャンネル電荷分割に基づく特別なダイオードの読み出し（ＡｉＴインスツルメント製）を使用する場合、〜１６％ＦＷＨＭ＠５１１ｋｅＶのエネルギー分解能がデータから抽出される。まだ最適化されていないが、パイロットの結果は、明らかにアレイモノリシックハイブリッドシンチレータの概念が機能することを実証する。
【００７９】
第２の実施形態の例
図３および５は、第２の好ましい実施形態の例を示す。ピクセル化されたシンチレーションアレイは、上のプレートシンチレータのための光ファイバの光ガイドおよびシンチレーションモジュールのための、入射放射、好ましくは、ガンマ、の光素子パワーを増加するために付加的なシンチレータ層の２つの機能を実行する。ピクセル化されたシンチレーションアレイは、図１８に示すように、検出器モジュールのＤＯＩ分解能を改善するために、２つのまたはそれ以上シフトされたアレイのスタックに分割することができる。互いの上に２つのシフトされたアレイのスタックのようにピクセル化されたシンチレーションアレイを使用し、典型的には、両方のアレイは、同じピクセルピッチを有し、シフトはＸ−Ｙ平面座標における半分のピッチである。図５は、（１）連続なシンチレータコンポーネントにおける光学的エッジ効果の最小化し、および（２）リングに配置された場合、検出モジュール間の物理的なギャップを最小化するテーパ形状を有する前方のシンチレータプレートを使用する変形例を示す。
【図１】
0006670307.tif 000002
【図２】
0006670307.tif 000003
【図３】
0006670307.tif 000004
【図４】
0006670307.tif 000005
【図５】
0006670307.tif 000006
【図６】
0006670307.tif 000007
【図７】
0006670307.tif 000008
【図８】
0006670307.tif 000009
【図９】
0006670307.tif 000010
【図１０】
0006670307.tif 000011
【図１１】
0006670307.tif 000012
【図１２】
0006670307.tif 000013
【図１３】
0006670307.tif 000014
【図１４】
0006670307.tif 000015
【図１５】
0006670307.tif 000016
【図１６】
0006670307.tif 000017
【図１７】
0006670307.tif 000018
【図１８】
0006670307.tif 000019